【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
車両に備わる管理装置であり、
前記車両に備わる車載コンピュータに保持される出荷初期鍵の候補である複数の出荷初期鍵を記憶する出荷初期鍵記憶部と、
前記車両に備わる車載コンピュータと通信する第１通信部と、
前記車両に備わる車載コンピュータから前記第１通信部により受信した暗号化データを、前記出荷初期鍵記憶部に記憶される出荷初期鍵を使用して検証する検証部と、
前記車両に新たに実装される車載コンピュータに保持される新規の出荷初期鍵を、管理サーバ装置から通信ネットワークを介して受信する第２通信部と、を備え、
前記出荷初期鍵記憶部は、前記第２通信部により受信された前記新規の出荷初期鍵を記憶する、
管理装置。
【請求項２】
車両に備わる管理装置であり、
前記車両に備わる車載コンピュータに保持される出荷初期鍵と、前記車両に新たに実装される車載コンピュータに保持される新規の出荷初期鍵と、を記憶する出荷初期鍵記憶部と、
前記車両に備わる車載コンピュータと通信する第１通信部と、
前記車両に備わる車載コンピュータから前記第１通信部により受信した暗号化データを、前記出荷初期鍵記憶部に記憶される出荷初期鍵を使用して検証する検証部と、
を備えた管理装置。
【請求項３】
鍵を生成する鍵生成部と、
前記鍵生成部により生成された鍵を暗号化して暗号化鍵を生成する暗号処理部と、
前記鍵生成部により生成された鍵を記憶する鍵記憶部と、を備え、
前記第１通信部は、前記車両に備わる車載コンピュータのうち前記検証部による検証が成功した車載コンピュータへ、前記暗号化鍵を送信する、
請求項１又は２のいずれか１項に記載の管理装置。
【請求項４】
請求項１から３のいずれか１項に記載の管理装置を備える車両。
【請求項５】
車両に備わる管理装置が、前記車両に備わる車載コンピュータに保持される出荷初期鍵の候補である複数の出荷初期鍵を出荷初期鍵記憶部に記憶する出荷初期鍵記憶ステップと、
前記管理装置が、前記車両に備わる車載コンピュータと通信する第１通信ステップと、
前記管理装置が、前記車両に備わる車載コンピュータから前記第１通信ステップにより受信した暗号化データを、前記出荷初期鍵記憶部に記憶される出荷初期鍵を使用して検証する検証ステップと、
前記管理装置が、前記車両に新たに実装される車載コンピュータに保持される新規の出荷初期鍵を、管理サーバ装置から通信ネットワークを介して受信する第２通信ステップと、
前記第２通信ステップにより受信された前記新規の出荷初期鍵を前記出荷初期鍵記憶部に記憶するステップと、
を含む管理方法。
【請求項６】
車両に備わる管理装置が、前記車両に備わる車載コンピュータに保持される出荷初期鍵と、前記車両に新たに実装される車載コンピュータに保持される新規の出荷初期鍵と、を出荷初期鍵記憶部に記憶する出荷初期鍵記憶ステップと、
前記管理装置が、前記車両に備わる車載コンピュータと通信する第１通信ステップと、
前記管理装置が、前記車両に備わる車載コンピュータから前記第１通信ステップにより受信した暗号化データを、前記出荷初期鍵記憶部に記憶される出荷初期鍵を使用して検証する検証ステップと、
を含む管理方法。
【請求項７】
車両に備わるコンピュータに、
前記車両に備わる車載コンピュータに保持される出荷初期鍵の候補である複数の出荷初期鍵を出荷初期鍵記憶部に記憶する出荷初期鍵記憶ステップと、
前記車両に備わる車載コンピュータと通信する第１通信ステップと、
前記車両に備わる車載コンピュータから前記第１通信ステップにより受信した暗号化データを、前記出荷初期鍵記憶部に記憶される出荷初期鍵を使用して検証する検証ステップと、
前記車両に新たに実装される車載コンピュータに保持される新規の出荷初期鍵を、管理サーバ装置から通信ネットワークを介して受信する第２通信ステップと、
前記第２通信ステップにより受信された前記新規の出荷初期鍵を前記出荷初期鍵記憶部に記憶するステップと、
を実行させるためのコンピュータプログラム。
【請求項８】
車両に備わるコンピュータに、
前記車両に備わる車載コンピュータに保持される出荷初期鍵と、前記車両に新たに実装される車載コンピュータに保持される新規の出荷初期鍵と、を出荷初期鍵記憶部に記憶する出荷初期鍵記憶ステップと、
前記車両に備わる車載コンピュータと通信する第１通信ステップと、
前記車両に備わる車載コンピュータから前記第１通信ステップにより受信した暗号化データを、前記出荷初期鍵記憶部に記憶される出荷初期鍵を使用して検証する検証ステップと、
を実行させるためのコンピュータプログラム。
【手続補正２】
【補正対象書類名】明細書
【補正対象項目名】０００７
【補正方法】変更
【補正の内容】
【０００７】
（１）本発明の一態様は、車両に備わる管理装置であり、前記車両に備わる車載コンピュータに保持される出荷初期鍵の候補である複数の出荷初期鍵を記憶する出荷初期鍵記憶部と、前記車両に備わる車載コンピュータと通信する第１通信部と、前記車両に備わる車載コンピュータから前記第１通信部により受信した暗号化データを、前記出荷初期鍵記憶部に記憶される出荷初期鍵を使用して検証する検証部と、前記車両に新たに実装される車載コンピュータに保持される新規の出荷初期鍵を、管理サーバ装置から通信ネットワークを介して受信する第２通信部と、を備え、前記出荷初期鍵記憶部は、前記第２通信部により受信された前記新規の出荷初期鍵を記憶する、管理装置である。
（２）本発明の一態様は、車両に備わる管理装置であり、前記車両に備わる車載コンピュータに保持される出荷初期鍵と、前記車両に新たに実装される車載コンピュータに保持される新規の出荷初期鍵と、を記憶する出荷初期鍵記憶部と、前記車両に備わる車載コンピュータと通信する第１通信部と、前記車両に備わる車載コンピュータから前記第１通信部により受信した暗号化データを、前記出荷初期鍵記憶部に記憶される出荷初期鍵を使用して検証する検証部と、を備えた管理装置である。
（３）本発明の一態様は、上記（１）又は（２）のいずれかの管理装置において、鍵を生成する鍵生成部と、前記鍵生成部により生成された鍵を暗号化して暗号化鍵を生成する暗号処理部と、前記鍵生成部により生成された鍵を記憶する鍵記憶部と、を備え、前記第１通信部は、前記車両に備わる車載コンピュータのうち前記検証部による検証が成功した車載コンピュータへ、前記暗号化鍵を送信する、管理装置である。
（４）本発明の一態様は、上記（１）から（３）のいずれかの管理装置を備える車両である。
【手続補正３】
【補正対象書類名】明細書
【補正対象項目名】０００８
【補正方法】変更
【補正の内容】
【０００８】
（５）本発明の一態様は、車両に備わる管理装置が、前記車両に備わる車載コンピュータに保持される出荷初期鍵の候補である複数の出荷初期鍵を出荷初期鍵記憶部に記憶する出荷初期鍵記憶ステップと、前記管理装置が、前記車両に備わる車載コンピュータと通信する第１通信ステップと、前記管理装置が、前記車両に備わる車載コンピュータから前記第１通信ステップにより受信した暗号化データを、前記出荷初期鍵記憶部に記憶される出荷初期鍵を使用して検証する検証ステップと、前記管理装置が、前記車両に新たに実装される車載コンピュータに保持される新規の出荷初期鍵を、管理サーバ装置から通信ネットワークを介して受信する第２通信ステップと、前記第２通信ステップにより受信された前記新規の出荷初期鍵を前記出荷初期鍵記憶部に記憶するステップと、を含む管理方法である。
（６）本発明の一態様は、車両に備わる管理装置が、前記車両に備わる車載コンピュータに保持される出荷初期鍵と、前記車両に新たに実装される車載コンピュータに保持される新規の出荷初期鍵と、を出荷初期鍵記憶部に記憶する出荷初期鍵記憶ステップと、前記管理装置が、前記車両に備わる車載コンピュータと通信する第１通信ステップと、前記管理装置が、前記車両に備わる車載コンピュータから前記第１通信ステップにより受信した暗号化データを、前記出荷初期鍵記憶部に記憶される出荷初期鍵を使用して検証する検証ステップと、を含む管理方法である。
【手続補正４】
【補正対象書類名】明細書
【補正対象項目名】０００９
【補正方法】変更
【補正の内容】
【０００９】
（７）本発明の一態様は、車両に備わるコンピュータに、前記車両に備わる車載コンピュータに保持される出荷初期鍵の候補である複数の出荷初期鍵を出荷初期鍵記憶部に記憶する出荷初期鍵記憶ステップと、前記車両に備わる車載コンピュータと通信する第１通信ステップと、前記車両に備わる車載コンピュータから前記第１通信ステップにより受信した暗号化データを、前記出荷初期鍵記憶部に記憶される出荷初期鍵を使用して検証する検証ステップと、前記車両に新たに実装される車載コンピュータに保持される新規の出荷初期鍵を、管理サーバ装置から通信ネットワークを介して受信する第２通信ステップと、前記第２通信ステップにより受信された前記新規の出荷初期鍵を前記出荷初期鍵記憶部に記憶するステップと、を実行させるためのコンピュータプログラムである。
（８）本発明の一態様は、車両に備わるコンピュータに、前記車両に備わる車載コンピュータに保持される出荷初期鍵と、前記車両に新たに実装される車載コンピュータに保持される新規の出荷初期鍵と、を出荷初期鍵記憶部に記憶する出荷初期鍵記憶ステップと、前記車両に備わる車載コンピュータと通信する第１通信ステップと、前記車両に備わる車載コンピュータから前記第１通信ステップにより受信した暗号化データを、前記出荷初期鍵記憶部に記憶される出荷初期鍵を使用して検証する検証ステップと、を実行させるためのコンピュータプログラムである。